(57)【要約】【課題】上下フック係着装置において、小型で、かつ加工の容易な連結金具を提供すること。【解決手段】互いに当接面３ａ、３ａを有する一対の連結金具３、３に、上フック１の連結膨出部２を嵌合する凹部４を設け、連結金具を３、３固着し、上フック１と連結金具３、３を連結する巻上牽引機における上フック係着装置において、凹部４最深部で、連結金具の側面に、凹部４に貫通する開孔部５を設けたことを特徴とする巻上牽引機におけるフック係着装置。【選択図】    図１
2004217366.tif 000002
【特許請求の範囲】
【請求項１】
互いに当接面を有する一対の連結金具に、上フックの連結膨出部を嵌合する凹部を設け、連結金具を互いに固着し、上フックと連結金具を連結する巻上牽引機における上フック係着装置において、凹部最深部で、連結金具の側面に貫通する開孔部を設けたことを特徴とする巻上牽引機におけるフック係着装置。
【請求項２】
互いに当接面を有する一対の連結金具に、リンクチェーンのタテリンクの肩部と係合しタテリンクを嵌合する凹部を、該タテリンクが該連結金具の当接面に対し直交して嵌合されるように設け、該凹部に連続して、ヨコリンクの一部を収容する凹部を設けたことを特徴とする巻上牽引機におけるフック係着装置。
【発明の詳細な説明】
【０００１】
【発明の属する技術分野】
本発明は、巻上牽引機におけるフック係着装置に関するものである。
【０００２】
【従来の技術】
巻上牽引機のフックと金具との連結手段として、上フックと連結金具の連結手段としては、図７に示すように、上フック１ａの基端部に設けた膨出部２ａを、一対の連結金具３ａに設けた凹部４ａに嵌合し、リベット（図示せず）にて連結金具３ａ、３ａを固着することにより、上フックを連結金具を係着するものはすでに知られていた。
【０００３】
しかし、上記した従来の係着手段においては、連結金具３ａの凹部４ａにＡで示す厚み部が設けられているため、連結金具を小型する場合の障害となっていた。
【０００４】
また、下フックの連結手段としては、図９に示すように、一対の連結金具１２ａに、下フック１６の基端部に設けた膨出部１７ａを収容する嵌合凹部１５ａに勘合し、リベット（図示せず）にて連結金具１２ａ、１２ａを固着し、ボルト１８ａとナット１８ｂでロードチェーン１１ａを係着するものが知られている。（引用文献１参照）
この連結手段によると、連結金具にはボルト１８ａ、ナット１８ｂを保護するため、連結金具面１２ａの上端部に凸部１２ｃが設けられており、連結金具１２ａ、１２ａの固着状態の幅がその分だけ大きくなり、連結金具を小型化する場合の障害となっていた。
【０００５】
また、図１０、図１１に示すように、ロードチェーンを係着する手段として連結金具１２ｂにロードチェーンのリンクの長孔部に貫入するボス部２１を設けたものも知られているが、（引用文献２参照）この連結手段では、サイズの小さいリンクチェーンを連結する場合には、強度上等の問題があり、適用は困難である。
【０００６】
【特許文献１】
実開昭５９−１９５１８９（図２）
【０００７】
【特許文献２】
実公昭６３−２３４１３  （図１）
【０００８】
【発明が解決しようとする課題】
上記した通り、従来の上フックと連結金具の係着手段では、連結金具が幅厚になるという課題を有し、また、下フックと連結金具の係着手段でも、連結金具が幅厚になり、またサイズの小さいリンクチェーンは適用できない場合があるという課題を有していた。
【０００９】
本発明は、連結金具の幅厚を減少でき、かつサイズの小さいリンクチェーンにも適用可能な上下フック係着装置を提供するものである。
【００１０】
【課題を解決するための手段】
本発明は、上記課題を解決するもので、請求項１に記載の発明は、互いに当接面を有する一対の連結金具に、上フックの連結膨出部を嵌合する凹部を設け、連結金具を互いに固着し、上フックと連結金具を連結する巻上牽引機における上フック係着装置において、凹部最深部で、連結金具の側面に貫通する開孔部を設けたことを特徴とする。
【００１１】
本発明によると、連結金具の上フックの連結用膨出部を嵌合する凹部に開孔部を設けたので、凹部をカバーしていた従来手段に比べて、連結金具の幅をカバー分の厚さ分だけ狭くできるため、連結金具の本体寸法を小さくすることができ、さらに開孔部からグリス等を注入することが容易な上フック係着装置を提供することができる。
【００１２】
請求項２に記載の発明は、互いに当接面を有する一対の連結金具に、リンクチェーンのタテリンクの肩部と係合し、タテリンクを嵌合する凹部を該タテリンクが該連結金具の当接面に対し直交して嵌合されるように設け、該凹部に連続して、ヨコリンクの一部を収容する凹部を設けたことを特徴とする。したがって本発明によれば、リンクチェーンの肩部を一対の連結金具の凹部に嵌合し、リベットにて連結金具を結合することで、リンクチェーンの肩部と連結金具の凹部が係合し、リンクチェーンと連結金具を一体的に結合することができるため、サイズの小さいリンクチェーンであっても連結金具と結合でき、かつ連結金具も、リンクチェーンが嵌合する凹部を設けるだけであるため、加工も容易で、連結ピンやボルト、ナットを必要としないため部品点数も少ない下フックの係着装置を提供することができる。
【００１３】
【発明の実施の形態１】
以下、本発明の上フックと連結金具の連結手段について、図１〜図３を参照して説明する。
【００１４】
図において、１は上フック、２は上フックの下端基部に設けられた連結用円形膨出部、３はリベットにより連結され、それぞれの接合面３ａ、３ａで接合される一対の連結金具、４は連結金具に設けられ、膨出部２を嵌合する凹部、５は凹部最深部で、連結金具３の側面に設けられ貫通する開孔部、６は連結金具３の連結軸嵌合孔３ｂと勘合し、連結金具３と巻上牽引機とを連結する連結軸、７は連結金具３、３を連結するリベット、８はフレーム、９はブレーキカバー、１０はギヤケースである。
【００１５】
本実施の形態では、連結金具３の上フックの連結用膨出部２を嵌合する凹部４に連結金具３の側面に設けられ貫通する開孔部５を設け、図８に示す従来の凹部と連結金具３の側面間の厚みＡ分をカバーしていた連結金具に比べて、その幅厚を該厚みであるカバー分だけ狭くできるため、連結金具３の幅寸法を小さくすることができ、図１において、フレーム８、８間を小さくすることが可能となり、巻上牽引機の小型化、軽量化が計れ、さらに開孔部によりグリス等を注入することが容易となる。
【００１６】
【発明の実施の形態２】
次に、本発明の下フックと連結金具の連結手段について、図４〜図７を参照して説明する。
【００１７】
図において、１１は直交するタテリンクとヨコリンクが連続的に連結されたリンクチェーン、１１ａはタテリンクで、リンクチェーン１１の末端のリンク、１１ｂはヨコリンクで、タテリンク１１ａに連結する末端から２つ目のリンク、１２はリベットにより互いに連結され、それぞれの接合面１２ａ、１２ａで接合され、下フックとリンクチェーン１１を連結する。１３は連結金具１２に設けられ、リンクチェーン１１のタテリンク１１ａを嵌合するタテリンク係合凹部で、該凹部１３は、連結金具１２の接合面１２ａに対し、タテリンク１１ａが直交して嵌合されるように設けられ、連結金具１２の上方側の端部に、リンクチェーン１１のタテリンク１１ａの肩部と係合する係合部１３ａを備えている。１４は、凹部１３に連続し、ヨコリンク１１ｂと係合するヨコリンク係合凹部である。１５は、凹部１３に連続し、下フックの基端部に設けた膨出部１７を嵌合する嵌合凹部、１６は下フック、１７は下フック１６の基端部に設けた円形膨出部、１８はリベット（図示せず）を嵌装する嵌装孔である。
【００１８】
以上のように、本実施の形態は、連結金具１２にチェーン肩部と係合する凹部１３を連結金具１２の当接面１２ａに対し、リンクチェーンのタテリンク１１ａが直交して嵌合するように、かつ下フック１６の連結膨出部１７の嵌合凹部１５と連続して設けたことを特徴とする。したがって、本実施の形態によれば、リンクチェーンの肩部を連結金具１２の縦溝状の凹部１３の係合部１３ａに嵌合し、リベット（図示せず）にて、連結金具を結合することで、リンクチェーンの肩部と連結金具の縦溝状の凹部が係合し、リンクチェーンと連結金具を一体的に結合することができるため、サイズの小さいリンクチェーンであっても、連結金具と結合でき、かつ連結金具も、リンクチェーンが嵌合する凹部を設けるだけであるため、加工も容易で、かつ連結ピンや連結用のボルト、ナットを必要としないため部品点数も少ない下フックの係着装置を提供することができる。
【００１９】
さらに、連結金具の接合面に直交する方向に、タテリンクの肩部の円弧面に係合する縦溝状の円弧状係合部１３ａを設けることにより、タテリンクと係合面の接触長を大きくとることができ、強度上有利であるとともに、凹部の形状が左右対称であるため加工も容易である。
【００２０】
【発明の効果】
本発明によると、連結金具の上フックの連結膨出部を嵌合する凹部に開孔部を設けたので、凹部をカバーしていた従来手段に比べて、連結金具の幅をカバー分の厚さ分だけ狭くできるため、連結金具の本体寸法を小さくすることができ、さらに開孔部からグリス等を注入することが容易な上フック係着装置を提供することができる。
【００２１】
さらに、リンクチェーンの肩部を一対の凹部に嵌合し、リベットにて、連結金具を互いに結合することで、リンクチェーンの肩部と連結金具の縦溝状の凹部が係合し、リンクチェーンと連結金具を一体的に結合することができるため、サイズの小さいリンクチェーンであっても、連結金具と結合でき、かつ連結金具も、リンクチェーンが嵌合する縦溝状の凹部を設けるだけであるため、加工も容易で、かつ連結ピンや連結用のボルト、ナットを必要としないため部品点数も少ない下フックの係着装置を提供することができる。
【図面の簡単な説明】
【図１】本発明の実施の形態１の上フック係着装置の取付状態を示す正面図である。
【図２】上フック係着部を示す正面図である。
【図３】図２の側面図である。
【図４】連結金具を示す図である。
【図５】本発明の実施の形態２の下フック係着装置の取付状態を示す正面図である。
【図６】図５の側面図である。
【図７】連結金具を示す図である。
【図８】従来の上フック係着装置を示す正面図である。
【図９】従来の下フック係着装置を示す正面図である。
【図１０】従来の他の下フック係着装置を示す側面図である。
【図１１】図１０の正面図である。
【符号の説明】
１    上フック
２    膨出部
３    連結金具
３ａ  当接面
４    凹部
５    開孔部
６    連結軸
７    リベット
８    フレーム
９    ブレーキカバー
１０  ギヤケース
１１  リンクチェーン
１１ａ  タテリンク
１１ｂヨ  コリンク
１２    連結金具
１２ａ  当接面
１３    タテリンク係合
１３ａ  係合部
１４    ヨコリンク係合凹部
１５    膨出部嵌合凹部
１６    下フック
１７    膨出部
１８    連結軸
１９    嵌装孔
【図１】
2004217366.tif 000003
【図２】
2004217366.tif 000004
【図３】
2004217366.tif 000005
【図４】
2004217366.tif 000006
【図５】
2004217366.tif 000007
【図６】
2004217366.tif 000008
【図７】
2004217366.tif 000009
【図８】
2004217366.tif 000010
【図９】
2004217366.tif 000011
【図１０】
2004217366.tif 000012
【図１１】
2004217366.tif 000013